(57)【要約】【課題】電気部品を収容する収容部が遊技機本体の所定の個所へ固着あるいは封印された状態では、電気部品と信号の送信または受信を行なう接続端子と配線部材との接続の解除を阻止し、セキュリティの強化を図ること。【解決手段】遊技機本体と、電気部品を収容する収容部と、前記電気部品と機能的に接続する接続端子と、接続および接続解除が可能であって、前記接続端子と機能的に接続する配線部材と、阻止部とを備え、前記収容部が前記遊技機本体に固着され、前記接続の解除が前記阻止部によって阻止されている。これにより、遊技機に対する不正行為を防止し、セキュリティの強化を図ることが可能となる。【選択図】　図１
2004081429.tif 000002
【特許請求の範囲】
【請求項１】
遊技機本体と、
電気部品を収容する収容部と、
前記電気部品と機能的に接続する接続端子と、
接続および接続解除が可能であって、前記接続端子と機能的に接続する配線部材と、
阻止部とを備え、
前記収容部が前記遊技機本体に固着され、前記接続の解除が前記阻止部によって阻止されていることを特徴とする遊技機。
【請求項２】
前記接続端子は、前記収容部と隣接する位置に設けられていることを特徴とする請求項１記載の遊技機。
【請求項３】
前記阻止部は、前記遊技機本体に固着されていることを特徴とする請求項１記載の遊技機。
【請求項４】
前記阻止部が、前記遊技機本体の一部であることを特徴とする請求項１記載の遊技機。
【請求項５】
前記阻止部は、前記収容部に固着されていることを特徴とする請求項１記載の遊技機。
【請求項６】
前記阻止部が、前記収容部本体の一部であることを特徴とする請求項１記載の遊技機。
【請求項７】
前記隣接する接続端子の少なくとも一部が前記収納部内に配置されていることを特徴とする請求項１から請求項６のいずれかに記載の遊技機。
【請求項８】
前記遊技機本体および前記収納部に取り付けられ、その取り付けを外すと痕跡の残る封印手段を備えることを特徴とする請求項１から請求項７のいずれかに記載の遊技機。
【発明の詳細な説明】
【０００１】
【発明の属する技術分野】
本発明は、電気部品を収容する収容部が遊技機本体の所定の個所へ固着あるいは封印された状態では、収容部の接続端子と配線部材との接続の解除を阻止し、セキュリティの強化が図られた遊技機に関する。
【０００２】
【従来の技術】
従来の遊技機では、主基板に対する不正防止のために、主基板を収容部に収容し、この収容部を遊技機本体の内部に取り外し困難な手法で固着していた。この手法は、例えば、ワンウェイネジやリベット等を使用して固着するカシメ構造や施錠装置を設ける手法であった。このような手法で収容部を固着すると、固着された部分を破壊しなければ主基板にアクセスすることができない。仮に固着された部分を破壊して主基板に不正にアクセスし、固着部分を元に戻そうとしても、必ず破壊痕跡が残るため、その主基板に対して不正行為がなされたことは容易に発見される。
【０００３】
【発明が解決しようとする課題】
しかしながら、主基板に対する不正なアクセスの防止対策はされていても、主基板から引き出される配線部材ついては、不正防止対策は何らなされていなかった。このため、遊技機のセキュリティを強化する上で、配線部材に対しても不正行為がなされないような工夫が望まれる。さらに、配線部材の不正行為を防止するために個々の配線部材に不正防止の工夫を行なうことができるが、コストと手間がかかるといった問題がある。
【０００４】
本発明は、このような事情に鑑みてなされたものであり、電気部品を収容する収容部が遊技機本体の所定の個所へ固着あるいは封印された状態では、電気部品と信号の送信または受信を行なう接続端子と配線部材との接続の解除を阻止し、セキュリティの強化が図られた遊技機を提供することを目的とする。
【０００５】
【課題を解決するための手段】
本発明の遊技機は、遊技機本体と、電気部品を収容する収容部と、前記電気部品と機能的に接続する接続端子と、接続および接続解除が可能であって、前記接続端子と機能的に接続する配線部材と、阻止部とを備え、前記収容部が前記遊技機本体に固着され、前記接続の解除が前記阻止部によって阻止されていることを特徴としている。
【０００６】
また、前記接続端子は、前記収容部と隣接する位置に設けられていても良い。
【０００７】
このように、収容部が遊技機本体に固着され、接続端子と配線部材との接続の解除が阻止部によって阻止されているので、接続端子と配線部材との接続を不正に解除し、不正な細工を施すことが困難となる。接続端子と配線部材との接続を解除するとは、例えば、プラグおよびジャックからなるコネクタにおいて、プラグからジャックを抜き差しすること、またはジャックからプラグを抜き差しすることを意味する。そして、接続端子と配線部材との接続の解除が阻止されているとは、上記の例において、（１）一方のプラグまたはジャックから、他方のプラグまたはジャックを引き抜くことができる空間が無くされていること、（２）一方のプラグまたはジャックから、他方のプラグまたはジャックを抜き差しする方向に収容部を移動することができなくされていること、（３）プラグまたはジャックに設けられた接続状態をロックするロック機構を指や工具を使用して解除することができる空間が無くされていることを意味する。これにより、コネクタ部の接続の解除が阻止されるので、遊技機に対する不正行為を防止し、セキュリティの強化を図ることが可能となる。さらに、本発明では、収容部における複数の接続端子と配線部材との接続の解除が阻止されるため、コストや手間を低減することができる。なお、機能的な接続とはオペレーティブリーコネクトのことである。例えば、電気的な接続のみならず、光、磁気、音波等を介した非接触による接続を含む概念である。
【０００８】
また、本発明の遊技機は、前記阻止部は、前記遊技機本体に固着されていることを特徴としている。
【０００９】
これにより、固着手段によって収容部および阻止部の双方を遊技機本体に固着することができる。
【００１０】
また、本発明の遊技機は、前記阻止部が、前記遊技機本体の一部であることを特徴としている。
【００１１】
このように、阻止部が遊技機本体の一部であるため、専用の部材を設ける必要がなく、簡易な手法でセキュリティの強化を図ることが可能となる。
【００１２】
また、本発明の遊技機は、前記阻止部は、前記収容部に固着されていることを特徴としている。
【００１３】
このように、阻止部が、収容部に固着されているので、収容部における接続端子と配線部材との接続を解除することができなくなる。すなわち、例えば、プラグおよびジャックからなるコネクタにおいて、収容部に固着された阻止部によって、一方のプラグまたはジャックから、他方のプラグまたはジャックを引き抜くことができる空間が無くなる。これにより、配線部材と接続端子との接続の解除が阻止されるので、遊技機に対する不正行為を防止し、セキュリティの強化を図ることが可能となる。
【００１４】
また、本発明の遊技機は、前記阻止部が、前記収容部本体の一部であることを特徴としている。
【００１５】
このように、阻止部が、収容部本体の一部であるので、収容部が遊技機本体に固着されると、接続端子と配線部材との接続の解除が阻止される。これにより、遊技機に対する不正行為を防止し、セキュリティの強化を図ることが可能となる。
【００１６】
また、本発明の遊技機は、前記隣接する接続端子の少なくとも一部が前記収納部内に配置されていることを特徴としている。
【００１７】
これにより、収容部が遊技機本体の所定の個所に固着された状態で、接続端子と配線部材との接続の解除が阻止され、接続端子と配線部材との接続を不正に解除して不正な細工を施すことが困難となる。
【００１８】
また、本発明の遊技機は、前記遊技機本体および前記収納部に取り付けられ、その取り付けを外すと痕跡の残る封印手段を備えることを特徴としている。
【００１９】
このように、封印手段を備えることにより、仮に封印が解除されるとその痕跡が残るため、不正なアクセスがあったことが容易に把握される。これにより、遊技機に対する不正行為を防止し、セキュリティの強化を図ることが可能となる。
【００２０】
【発明の実施の形態】
本実施の形態に係る遊技機では、電気部品を収容する収容部が、固着手段によって、遊技機本体へ取り外し困難に固着される。そして、収容部が遊技機本体へ固着された状態では、接続端子と配線部材との接続の解除が阻止される。上記の電気部品には、例えば、回路基板として主遊技回路基板が含まれる。また、例えば、押ボタン等を含む電装部品として段階設定ボックスや、回路基板および電装部品の双方を含む電源ボックスなども電気部品に含まれる。
【００２１】
接続端子とは、上記電気部品と機能的に接続すると共に、配線部材とも機能的に接続し、または接続の解除が可能に構成された中継装置のことである。例えば、コネクタや端子からなる。ここで、「機能的な接続」とはオペレーティブリーコネクトのことである。例えば、電気的な接続のみならず、光、磁気、音波等を介した非接触による接続を含む概念である。この接続端子は、配線部材との間で信号の送受信を行なう。例えば、接続端子が雄（プラグ）コネクタで構成され、配線部材の端末が雌（ジャック）コネクタで構成され、相互に接続して電気的接続を実現する。また、フォトカプラのような光接続を行なうものでもよい。接続端子としてコネクタを設けるバリエーションとしては、（１）収容部に直接固定され、配線を経由して電気部品に接続される場合と、（２）回路基板または電装部品にコネクタが直接実装された状態で、収容部に開口部を持たせてその開口部でコネクタの接続を行なう場合とがある。また、接続端子は、収容部そのものに設けられる場合に限られず、電気部品からケーブル（電線）を延ばして、収容部から隣接した位置に接続端子を設けることも可能である。
【００２２】
配線部材とは、上記接続端子と機能的に接続、または接続の解除が可能であって、電気や光の信号を伝送させる電線や光ケーブルと、電線や光ケーブルの端末に接続されるコネクタや端子（丸型端子などの圧着端子）のことをいう。また、複数の配線部材をユニットとして配列して束ねたもので、差込み、接続、取りはずしを容易にした組配線部材（ワイヤーハーネスともいう）も、配線部材に含まれる。また、電気や光の信号を伝送させる機能を持たせたプリント基板やフレキシブル基板もこの配線部材の概念に含まれる。
【００２３】
固着手段とは、例えば、リベットやワンウェイネジ等を使用した不可逆的なロック機構、シリンダー錠や南京錠などの施錠装置等を意味し、破壊しなければ取り外しができないように固着するものである。固着手法としては、（１）収容部が有する固着手段で遊技機に収容部を固着する場合と、（２）遊技機に収容部専用の取り付け部が設けられており、その取り付け部に固着する場合と、（３）さらに（１）と（２）との双方を含む場合、すなわち、遊技機に収容部専用の取り付け部が設けられており、その取り付け部に収容部が有する固着手段で遊技機に収容部を固着する場合である。
【００２４】
封印手段とは、例えば、封印シールや封印バンドのように、シリアル番号や識別情報が記載された封印部材を意味し、封印手段の解除、例えば封印シールを剥がすことは容易にできるが、同じ封印シールが無いため再封印できなかったり、封印シールの剥がした痕跡が残るシール形態であれば、その痕跡が残ることにより不正の発見が容易になる。
【００２５】
また、コネクタの接続を解除するとは、例えば、プラグおよびジャックからなるコネクタにおいて、プラグからジャックを引き抜くこと、またはジャックからプラグを引き抜くことを意味する。そして、コネクタ部の接続の解除が阻止されるとは、（１）一方のプラグまたはジャックから、他方のプラグまたはジャックを引き抜くことができる空間が無くされること、（２）一方のプラグまたはジャックから、他方のプラグまたはジャックを引き抜く方向に収容部を移動することができなくされていること、または（３）プラグまたはジャックに設けられた接続状態をロックするロック機構を指や工具を使用して解除することができる空間が無くされていることを意味する。
【００２６】
（実施の形態１）
図１は、実施の形態１に係る遊技機のケース部の概略構成を示す図である。また、図２は、実施の形態１に係る遊技機のケース部の斜視図である。この遊技機のケース部１は、下蓋２ａおよび上蓋２ｂからなる収容部２に回路基板３を収容する。そして、下蓋２ａおよび上蓋２ｂは、回路基板３を収容した状態で開封固着される。回路基板３の下蓋２ａ側には、配線部材４と電気的接続を行なうコネクタ５ｂが設けられている。すなわち、上蓋２ｂ側から見ると、コネクタ５ｂは回路基板３の裏面に設けられている。収容部２を遊技機本体６に固着する際には、図示しないガイド機構に沿って遊技機本体６と固着する位置まで移動させ、コネクタ５ｂを相手側のコネクタ５ａに嵌合させる。例えば、図２に示すように、カシメ構造７ａおよび７ｂを用いて、収容部２を遊技機本体６へ固着する。このカシメ構造７ａおよび７ｂは、例えば、「ソリッドリベット」を用いたリベット結合の方式を採る。その他に、カシメには「セミまたはフルチューブラリベット」や「はと目」なども使われる。
【００２７】
なお、遊技機本体６は、遊技機から、各種ユニットや配線部材を取り除いた残り部分のことである。例えば、遊技機の外筐（外箱）や、遊技機の骨組みであるフレームなどが該当する。
【００２８】
実施の形態１によれば、コネクタ５ａと５ｂは、収容部２と遊技機本体６との間で回路基板３と配線部材４とを接続するので、収容部２が遊技機本体６に固着されるとコネクタ５ａと５ｂの接続を解除することができなくなる。すなわち、コネクタ５ａと５ｂがプラグおよびジャックから構成されるとすると、収容部２と遊技機本体６との間でプラグとジャックとが接続し、収容部２が遊技機本体６に固着されるので、一方のプラグまたはジャックから、他方のプラグまたはジャックを抜き差しする方向に収容部２を移動することができなくなる。これにより、コネクタ５ａと５ｂの接続の解除が阻止されるので、遊技機に対する不正行為を防止し、セキュリティの強化を図ることが可能となる。
【００２９】
上記の例では、配線部材は、コネクタ５ａと電線から構成されているものであったが、配線部材としてプリント基板を使用してもよい。つまり、電線のかわりにプリント基板を配置し、プリント基板上にコネクタを実装させる。接続端子が複数のコネクタから構成されている場合には、配線部材としてプリント基板を使用するほうが好ましい。
【００３０】
（実施の形態２）
図３は、実施の形態２に係る遊技機のケース部の概略構成を示す図である。また、図４および図５は、実施の形態２に係る遊技機のケース部の斜視図である。このケース部１０は、下蓋１１ａおよび上蓋１１ｂからなる収容部１１に回路基板１２を収容する。そして、下蓋１１ａおよび上蓋１１ｂは、回路基板１２を収容した状態で開封固着される。回路基板１２の上面に、配線部材１３の端末のコネクタ１４ａと電気的接続を行なうコネクタ１４ｂが、上蓋１１ｂを切り欠いて設けられている。収容部１１を遊技機本体６へ固着するための固着部材１５は、ヒンジ機構１５ａを有し、収容部１１を固着する位置または解放する位置へ開閉可能に構成されている。具体的には、固着部材１５は、図４中、矢印で示すＡ方向またはＢ方向に開閉可能である。この固着部材１５は、収容部１１を遊技機本体６に固着する位置で、配線部材１３の端末のコネクタ１４ａを抜き差しするための空間を無くすカバー部１５ｂを備えている。すなわち、収容部１１を遊技機本体６へ固着するための固着部材１５、およびコネクタ１４ａをカバーするカバー部１５ｂは、阻止部を構成する。
【００３１】
収容部１１を遊技機本体６へ固着する際には、図４および図５に示すように、収容部１１を遊技機本体６の所定の位置に置き、固着部材１５におけるカバー部１５ｂがコネクタ１４ａを覆うように、固着部材１５を図４中Ａ方向に引き上げる。そして、固着部材１５に設けられたロック機構１６によってロックする。なお、ロックに代えて、遊技機本体６に対してリベットまたはワンウェイネジ等でのカシメや、施錠装置等で取り外し困難に固着させてもよい。
【００３２】
実施の形態２によれば、固着部材１５に設けられたカバー部１５ｂが、収容部１１を遊技機本体６へ固着したときに配線部材１３の端末のコネクタ１４ａをコネクタ１４ｂから引き抜くための空間が無くなるので、収容部１１が遊技機本体６に固着されると収容部１１の接続端子と配線部材との接続を解除することが阻止される。これにより、コネクタ１４ａと１４ｂの接続の解除が阻止されるので、遊技機に対する不正行為を防止し、セキュリティの強化を図ることが可能となる。
【００３３】
（実施の形態３）
図６（ａ）は、実施の形態３に係る遊技機のケース部の斜視図であり、同図（ｂ）は、図６（ａ）中、Ｃの方向から見た側面図である。収容部としての電源ボックス２０は、内部に回路基板および電気部品を収容する。電源ボックス２０の上端には、回路基板および電気部品を配線部材に接続するための複数のコネクタ２１が設けられている。また、電源ボックス２０の図６（ａ）におけるＣ側の側面には、リセットスイッチ２２、設定変更スイッチを内包するボックス２３、そして電源スイッチ２４が設けられている。
【００３４】
電源ボックス２０の上端部２０ａには、ヒンジ構造２５ａを有するカバー部２５が設けられている。カバー部２５は、ヒンジ構造２５ａによって、図６（ｂ）に示すＤの方向またはＥの方向へ開閉可能に構成されている。また、カバー部２５には、各コネクタ２１に対応する位置にスリット２５ｂが設けられている。各スリット２５ｂの大きさは、図示しない配線部材の端末のコネクタよりも小さく、配線部材の電線部分よりも大きい。このため、配線部材の電線部分のみを通過させることができる。
【００３５】
各コネクタ２１における接続がなされると、カバー部２５が図６（ｂ）中、Ｄの方向へ持ち上げられる。そして、カバー部２５は、固着手段２６によって遊技機本体６に固着される。固着手段２６は、上記と同様に、カシメまたはワンウェイネジ、施錠装置等によってカバー部２５を開くことが困難となるように固着する。
【００３６】
実施の形態３によれば、カバー部２５が、コネクタ２１の接続を解除することができる空間を無くすので、カバー部２５が遊技機本体６に固着されるとコネクタ２１と配線部材との接続を解除することが阻止される。これにより、コネクタ２１と配線部材との接続の解除が阻止されるので、遊技機に対する不正行為を防止し、セキュリティの強化を図ることが可能となる。
【００３７】
（実施の形態４）
図７および図８は、実施の形態４に係る遊技機のケース部の斜視図であり、図９は、図８においてＦの方向から見た遊技機のケース部の側面図である。このケース部の場合は、遊技機本体６側にカバー部３０を有する。すなわち、収容部としての電源ボックス３１は、内部に回路基板および電気部品を収容する。電源ボックス３１の上端には、回路基板および電気部品を配線部材の端末のコネクタ３２ａに接続するためのコネクタ３２ｂが設けられている。また、電源ボックス３１の図８におけるＦ側の側面には、リセットスイッチ３３、設定変更スイッチ３４、そして電源スイッチ３５が設けられている。なお、設定変更スイッチ３４は、キースイッチ３６が適正な鍵によって操作されないと機能しないように制御されている。
【００３８】
カバー部３０は、金属板により断面が概略Ｌ字状となるように折り曲げられた形状を有する。そして、カバー部３０の垂直部３０ａは遊技機本体６に固定されている。また、カバー部３０の水平部３０ｂは「ひさし」のように地面と概略並行に遊技機本体６の内部方向へ張り出す。
【００３９】
コネクタ３２ａと３２ｂの接続がなされると、電源ボックス３１はカバー部３０の水平部３０ｂの下側に、コネクタ３２ａが抜き差しできる空間が無くなるように固着される。すなわち、電源ボックス３１に設けられた孔３１ａとカバー部３０に設けられた孔３０ｃとが合致するように位置決めされ、ワンウェイネジ３７で遊技機本体６へ固着される。また、電源ボックス３１に設けられた孔３１ｂと遊技機本体６に設けられた孔６ｃにワンウェイネジ３７がねじ込まれて固着される。なお、固着方法はワンウェイネジに限らず、カシメ方法を用いても良い。
【００４０】
実施の形態４によれば、カバー部３０が、コネクタ３２ａおよび３２ｂの接続を解除するための空間を無くすので、カバー部３０と共に電源ボックス３１が遊技機本体６に固着されるとコネクタ３２ａおよび３２ｂの接続を解除することが阻止される。すなわち、コネクタ３２ａがプラグ、コネクタ３２ｂがジャックで構成されているとすると、カバー部３０の水平部３０ｂによって、コネクタ３２ｂ（ジャック）からコネクタ３２ａ（プラグ）を抜き差しするための空間がなくなる。これにより、コネクタ３２ａおよび３２ｂの接続の解除が阻止されるので、遊技機に対する不正行為を防止し、セキュリティの強化を図ることが可能となる。
【００４１】
なお、実施の形態４において、カバー部３０は、遊技機本体６の内側の面で構成されていてもよい。すなわち、電源ボックス３１の上面、すなわち、コネクタ３２ｂが存在している面を、遊技機本体６の内側の面との距離をコネクタ３２ａが引き抜きできる空間が無くなるように配置して、電源ボックス３１を固着するのである。例えば、図７から図９において、接続されたコネクタ３２ｂを図示するものと天地を逆に配置して固着するのである。これにより、新たな部材を用いることなく、コネクタ３２ａと３２ｂの接続を解除するための空間を無くすことが容易に可能となる。
【００４２】
（実施の形態５）
図１０および図１１は、実施の形態５に係る遊技機のケース部の概略構成を示す図である。ケース部４０は、下蓋４１ａおよび上蓋４１ｂからなる収容部４１に回路基板４２を収容する。この下蓋４１ａは収容部本体を構成し、上蓋４１ｂは蓋を構成する。上蓋４１ｂは、図１０に示すように、下蓋４１ａよりも紙面に対して幅方向の長さが大きい。そして、下蓋４１ａおよび上蓋４１ｂは、回路基板４２を収容した状態で開封固着される。回路基板４２の上側端面には、配線部材４３と電気的接続を行なうコネクタ４４ｂが水平方向設けられている。コネクタ４４ａは、図１０に示すように、水平方向に抜き差しするように配置されている。収容部４１を遊技機本体６に固着する際には、コネクタ４４ａと４４ｂを接続し、下蓋４１ａと上蓋４１ｂとを開封固着する。そして、配線部材４３を上蓋４１ｂと遊技機本体６との間から引き出すようにして、収容部４１を遊技機本体６に固着する。
【００４３】
図１１は、コネクタ４４ｂが回路基板４２の上面に設けられ、鉛直方向に抜き差しされるタイプを示す。このような場合でも、収容部４１を遊技機本体６に固着する際には、コネクタ４４ａと４４ｂを接続し、下蓋４１ａと上蓋４１ｂとを開封固着する。そして、配線部材４３を上蓋４１ｂと遊技機本体６との間から引き出すようにして、収容部４１を遊技機本体６に固着する。
【００４４】
収容部４１を遊技機本体６へ固着する際には、カシメ構造またはワンウェイネジを用いることができる。
【００４５】
実施の形態５によれば、上蓋４１ｂは、下蓋４１ａと開封固着される際に、コネクタ４４ａが引き抜くことができるための空間を無くすので、収容部４１が遊技機本体６に固着されるとコネクタ４４ａと４４ｂの接続を解除することが阻止される。これにより、遊技機に対する不正行為を防止し、セキュリティの強化を図ることが可能となる。また、実施の形態５によれば、コネクタ４４ａと４４ｂの抜き差しを阻止するために特別な部材は不要となる。
【００４６】
なお、変形例として、固着手段の代わりに封印シールなどの封印手段を用いてもよい。すなわち、収容部が封印手段により遊技機本体の所定の個所へ封印された状態では接続端子と配線部材との接続の解除が阻止されるのである。封印が解除されると、その痕跡が残るため、不正なアクセスがあったことが容易に把握される。これにより、遊技機に対する不正行為を防止し、セキュリティの強化を図ることが可能となる。
【００４７】
また、上蓋および下蓋によって電気部品を収容する収容部が構成されるケース部において、収容部が封印手段により遊技機本体の所定の個所へ封印された状態では接続端子と配線部材との接続を解除するための空間を無くすように、上蓋が下蓋と固着されるようにしてもよい。
【００４８】
なお、遊技機において、例えば、基板ケースには複数のコネクタが存在している。これらの中には、不正行為の対象となるものとならないものとがある。例えば、電飾ランプへの配線を変更しても不正には直接つながることはない。このため、複数のコネクタがある場合には、すべてのコネクタに対して本発明を適用してもよいし、不正対象になり得るコネクタに対して本発明を適用すればよい。これにより、不正行為を防止できる。
【００４９】
【発明の効果】
以上説明したように、本発明の遊技機は、遊技機本体と、電気部品を収容する収容部と、前記電気部品と機能的に接続する接続端子と、接続および接続解除が可能であって、前記接続端子と機能的に接続する配線部材と、阻止部とを備え、前記収容部が前記遊技機本体に固着され、前記接続の解除が前記阻止部によって阻止されていることを特徴としている。
【００５０】
このように、収容部が遊技機本体に固着され、接続端子と配線部材との接続の解除が阻止部によって阻止されているので、接続端子と配線部材との接続を不正に解除し、不正な細工を施すことが困難となる。接続端子と配線部材との接続を解除するとは、例えば、プラグおよびジャックからなるコネクタにおいて、プラグからジャックを抜き差しすること、またはジャックからプラグを抜き差しすることを意味する。そして、接続端子と配線部材との接続の解除が阻止されているとは、上記の例において、（１）一方のプラグまたはジャックから、他方のプラグまたはジャックを引き抜くことができる空間が無くされていること、（２）一方のプラグまたはジャックから、他方のプラグまたはジャックを抜き差しする方向に収容部を移動することができなくされていること、（３）プラグまたはジャックに設けられた接続状態をロックするロック機構を指や工具を使用して解除することができる空間が無くされていることを意味する。これにより、コネクタ部の接続の解除が阻止されるので、遊技機に対する不正行為を防止し、セキュリティの強化を図ることが可能となる。さらに、本発明では、収容部における複数の接続端子と配線部材との接続の解除が阻止されるため、コストや手間を低減することができる。
【図面の簡単な説明】
【図１】実施の形態１に係る遊技機のケース部の概略構成を示す図である。
【図２】実施の形態１に係る遊技機のケース部の斜視図である。
【図３】実施の形態２に係る遊技機のケース部の概略構成を示す図である。
【図４】実施の形態２に係る遊技機のケース部の斜視図である。
【図５】実施の形態２に係る遊技機のケース部の斜視図である。
【図６】（ａ）　実施の形態３に係る遊技機のケース部の斜視図である。
（ｂ）　実施の形態３に係る遊技機のケース部の側面図である。
【図７】実施の形態４に係る遊技機のケース部の斜視図である。
【図８】実施の形態４に係る遊技機のケース部の斜視図である。
【図９】実施の形態４に係る遊技機のケース部の側面図である。
【図１０】実施の形態５に係る遊技機のケース部の概略構成を示す図である。
【図１１】実施の形態５に係る遊技機のケース部の概略構成を示す図である。
【符号の説明】
１…遊技機のケース部、２…収容部、２ａ…下蓋、２ｂ…上蓋、３…回路基板、４…配線部材、５…コネクタ部、６…遊技機本体、６ｃ…孔、７ａ…カシメ構造、７ｂ…カシメ構造、１０…遊技機のケース部、１１…収容部、１１ａ…下蓋、１１ｂ…上蓋、１２…回路基板、１３…配線部材、１４…コネクタ部、１５…固着部材、１５ａ…ヒンジ機構、１５ｂ…カバー部、１６…ロック機構、２０…電源ボックス、２０ａ…上端部、２１…コネクタ部、２５…カバー部、２５ａ…ヒンジ構造、２５ｂ…スリット、２６…固着手段、３０…カバー部、３０ａ…垂直部、３０ｂ…水平部、３０ｃ…孔、３１…電源ボックス、３１ａ…孔、３１ｂ…孔、３２…コネクタ部、３２ａ…配線部材、３７…ワンウェイネジ、４０…遊技機のケース部、４１…収容部、４１ａ…下蓋、４１ｂ…上蓋、４２…回路基板、４３…配線部材、４４…コネクタ部
【図１】
2004081429.tif 000003
【図２】
2004081429.tif 000004
【図３】
2004081429.tif 000005
【図４】
2004081429.tif 000006
【図５】
2004081429.tif 000007
【図６】
2004081429.tif 000008
【図７】
2004081429.tif 000009
【図８】
2004081429.tif 000010
【図９】
2004081429.tif 000011
【図１０】
2004081429.tif 000012
【図１１】
2004081429.tif 000013
【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
遊技機本体と、
前記遊技機本体に固着され、電気部品を収容する収容部と、
前記電気部品と信号の送受信を行うように接触または非接触により接続する接続端子と、
接続および接続解除が可能であって、前記接続端子と信号の送受信を行うように接触または非接触により接続する配線部材と、を備え、
前記接続端子と接続された前記配線部材の接続解除が、前記遊技機本体によって阻止されていることを特徴とする遊技機。
【請求項２】
遊技機本体と、
前記遊技機本体に固着される下蓋および前記下蓋に固着される上蓋から構成され、電気部品を収容する収容部と、
前記電気部品と信号の送受信を行うように接触または非接触により接続する接続端子と、
接続および接続解除が可能であって、前記接続端子と信号の送受信を行うように接触または非接触により接続する配線部材と、を備え、
前記接続端子と接続された前記配線部材の接続解除が、前記上蓋によって阻止されていることを特徴とする遊技機。
【請求項３】
遊技機本体と、
電気部品を収容する収容部と、
前記電気部品と信号の送受信を行うように接触または非接触により接続する接続端子と、
接続および接続解除が可能であって、前記接続端子と信号の送受信を行うように接触または非接触により接続する配線部材と
板状に形成され前記遊技機本体の内部方向へ突出する阻止部と、を備え、
前記収容部が前記遊技機本体に固着されることにより、前記接続の解除が前記阻止部によって阻止されていることを特徴とする遊技機。
【請求項４】
遊技機本体と、
電気部品を収容する収容部と、
前記電気部品と信号の送受信を行うように接触または非接触により接続する接続端子と、
接続および接続解除が可能であって、前記接続端子と信号の送受信を行うように接触または非接触により接続する配線部材と
前記接続端子をカバーするカバー部、前記遊技機本体において前記カバー部を前記収容部に固着しうる位置または固着しえない位置に開閉可能に支持するヒンジ機構、および前記カバー部を前記収容部に固着する固着手段から構成される阻止部と、を備え、
前記阻止部は、前記カバー部が前記収容部に固着された状態で前記接続の解除を阻止することを特徴とする遊技機。
【請求項５】
前記接続端子は、前記収容部と隣接する位置に設けられていることを特徴とする請求項１から請求項４のいずれかに記載の遊技機。
【請求項６】
遊技機本体と、
前記遊技機本体に固着される下蓋および前記下蓋に固着される上蓋から構成され、電気部品を収容する収容部と、
前記下蓋または回路基板もしくは電装部品に設けられ、前記収容部に収容された前記電気部品との信号の送受信を行うように接触または非接触により接続する接続端子と
遊技機本体に設けられ接続および接続解除が可能であって、前記接続端子と信号の送受信を行うように接触または非接触により接続する配線部材とを備え、
前記接続端子と前記配線部材とが信号の送受信を行うように接触または非接触により接続され、かつ、前記収容部と遊技機本体が固着されることにより、前記接続端子と前記配線部材との接続の解除が阻止されていることを特徴とする遊技機。
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、電気部品を収容する収容部が遊技機本体の所定の個所へ固着あるいは封印された状態では、収容部の接続端子と配線部材との接続の解除を阻止し、セキュリティの強化が図られた遊技機に関する。
【０００２】
【従来の技術】
従来の遊技機では、主基板に対する不正防止のために、主基板を収容部に収容し、この収容部を遊技機本体の内部に取り外し困難な手法で固着していた。この手法は、例えば、ワンウェイネジやリベット等を使用して固着するカシメ構造や施錠装置を設ける手法であった。このような手法で収容部を固着すると、固着された部分を破壊しなければ主基板にアクセスすることができない。仮に固着された部分を破壊して主基板に不正にアクセスし、固着部分を元に戻そうとしても、必ず破壊痕跡が残るため、その主基板に対して不正行為がなされたことは容易に発見される。
【０００３】
【発明が解決しようとする課題】
しかしながら、主基板に対する不正なアクセスの防止対策はされていても、主基板から引き出される配線部材ついては、不正防止対策は何らなされていなかった。このため、遊技機のセキュリティを強化する上で、配線部材に対しても不正行為がなされないような工夫が望まれる。さらに、配線部材の不正行為を防止するために個々の配線部材に不正防止の工夫を行なうことができるが、コストと手間がかかるといった問題がある。
【０００４】
本発明は、このような事情に鑑みてなされたものであり、電気部品を収容する収容部が遊技機本体の所定の個所へ固着あるいは封印された状態では、電気部品と信号の送信または受信を行なう接続端子と配線部材との接続の解除を阻止し、セキュリティの強化が図られた遊技機を提供することを目的とする。
【０００５】
【課題を解決するための手段】
本発明の遊技機は、遊技機本体と、前記遊技機本体に固着され、電気部品を収容する収容部と、前記電気部品と信号の送受信を行うように接触または非接触により接続する接続端子と、接続および接続解除が可能であって、前記接続端子と信号の送受信を行うように接触または非接触により接続する配線部材と、を備え、前記接続端子と接続された前記配線部材の接続解除が、前記遊技機本体によって阻止されていることを特徴としている。
【０００６】
このように、接続端子と接続された配線部材の接続解除が、遊技機本体によって阻止されているので、セキュリティの強化が図られる。たとえば、接続端子であるコネクタがプラグおよびジャックから構成されるとすると、上記のように収容部と遊技機本体との間でプラグとジャックとが接続し、収容部が遊技機本体に固着されるので、一方のプラグまたはジャックから、他方のプラグまたはジャックを抜き差しする方向に収容部を移動することができなくなる。これにより、コネクタの接続の解除が阻止されるので、遊技機に対する不正行為を防止し、セキュリティの強化を図ることが可能となる。接続端子と配線部材との接続を解除するとは、例えば、プラグおよびジャックからなるコネクタにおいて、プラグからジャックを抜き差しすること、またはジャックからプラグを抜き差しすることを意味する。そして、接続端子と配線部材との接続の解除が阻止されているとは、上記の例において、（１）一方のプラグまたはジャックから、他方のプラグまたはジャックを引き抜くことができる空間が無くされていること、（２）一方のプラグまたはジャックから、他方のプラグまたはジャックを抜き差しする方向に収容部を移動することができなくされていること、（３）プラグまたはジャックに設けられた接続状態をロックするロック機構を指や工具を使用して解除することができる空間が無くされていることを意味する。これにより、コネクタ部の接続の解除が阻止されるので、遊技機に対する不正行為を防止し、セキュリティの強化を図ることが可能となる。さらに、複数の接続端子と配線部材との接続の解除が阻止されるため、コストや手間を低減することができる。
【０００７】
また、本発明の遊技機は阻止部が遊技機本体の一部であるため、専用の部材を設ける必要がなく、簡易な手法でセキュリティの強化を図ることが可能となる。
【０００８】
また、本発明の遊技機は、遊技機本体と、前記遊技機本体に固着される下蓋および前記下蓋に固着される上蓋から構成され、電気部品を収容する収容部と、前記電気部品と信号の送受信を行うように接触または非接触により接続する接続端子と、接続および接続解除が可能であって、前記接続端子と信号の送受信を行うように接触または非接触により接続する配線部材と、を備え、前記接続端子と接続された前記配線部材の接続解除が、前記上蓋によって阻止されていることを特徴としている。
【０００９】
このように、上蓋は、下蓋と開封固着される際に、コネクタを引き抜くことができるための空間を無くすので、収容部が遊技機本体に固着されるとコネクタとの接続を解除することが阻止される。これにより、遊技機に対する不正行為を防止し、セキュリティの強化を図ることが可能となる。また、コネクタの抜き差しを阻止するために特別な部材は不要となる。さらに、収容部における複数の接続端子と配線部材との接続の解除が阻止されるため、コストや手間を低減することができる。
【００１０】
また、本発明の遊技機は、遊技機本体と、電気部品を収容する収容部と、前記電気部品と信号の送受信を行うように接触または非接触により接続する接続端子と、接続および接続解除が可能であって、前記接続端子と信号の送受信を行うように接触または非接触により接続する配線部材と、板状に形成され前記遊技機本体の内部方向へ突出する阻止部と、を備え、前記収容部が前記遊技機本体に固着されることにより、前記接続の解除が前記阻止部によって阻止されていることを特徴としている。
【００１１】
このようにして、阻止部の水平部分によってコネクタを抜き差しするための空間がなくなる。これにより、コネクタの接続の解除が阻止されるので、遊技機に対する不正行為を防止し、セキュリティの強化を図ることが可能となる。
【００１２】
また、阻止部が遊技機本体の内側の面で構成され、収容部の上面、すなわち、コネクタが存在している面を、遊技機本体の内側の面との距離をコネクタが引き抜きできる空間が無くなるように配置して、収容部を固着する場合には、新たな部材を用いることなく、コネクタの接続を解除するための空間を無くすことが容易に可能となる。また、収容部における複数の接続端子と配線部材との接続の解除が阻止されるため、コストや手間を低減することができる。
【００１３】
また、本発明の遊技機は、遊技機本体と電気部品を収容する収容部と、前記電気部品と信号の送受信を行うように接触または非接触により接続する接続端子と、接続および接続解除が可能であって、前記接続端子と信号の送受信を行うように接触または非接触により接続する配線部材と前記接続端子をカバーするカバー部、前記遊技機本体において前記カバー部を前記収容部に固着しうる位置または固着しえない位置に開閉可能に支持するヒンジ機構、および前記カバー部を前記収容部に固着する固着手段から構成される阻止部と、を備え、前記阻止部は、前記カバー部が前記収容部に固着された状態で前記接続の解除を阻止することを特徴としている。
【００１４】
このように、阻止部に設けられたカバー部が、収容部を遊技機本体へ固着したときに配線部材の端末のコネクタを電気部品側のコネクタから引き抜くための空間が無くなるので、収容部が遊技機本体に固着されると収容部の接続端子と配線部材との接続を解除することが阻止される。例えば、プラグおよびジャックからなるコネクタにおいて、収容部に固着された阻止部によって、一方のプラグまたはジャックから、他方のプラグまたはジャックを引き抜くことができる空間が無くなる。これにより、コネクタの接続の解除が阻止されるので、遊技機に対する不正行為を防止し、セキュリティの強化を図ることが可能となる。
【００１５】
また、固着手段によって収容部および阻止部の双方を遊技機本体に固着することができる。
【００１６】
また、本発明の遊技機は、前記接続端子は、前記収容部と隣接する位置に設けられていることを特徴としている。このように、接続端子と接続された配線部材の接続解除が、遊技機本体によって阻止されているので、セキュリティの強化が図られる。たとえば、接続端子であるコネクタがプラグおよびジャックから構成されるとすると、上記のように収容部と遊技機本体との間でプラグとジャックとが接続し、収容部が遊技機本体に固着されるので、一方のプラグまたはジャックから、他方のプラグまたはジャックを抜き差しする方向に収容部を移動することができなくなる。これにより、コネクタの接続の解除が阻止されるので、遊技機に対する不正行為を防止し、セキュリティの強化を図ることが可能となる。また、コネクタ部の接続の解除が阻止されるので、遊技機に対する不正行為を防止し、セキュリティの強化を図ることが可能となる。さらに、複数の接続端子と配線部材との接続の解除が阻止されるため、コストや手間を低減することができる。
【００１７】
また、本発明の遊技機は、遊技機本体と、前記遊技機本体に固着される下蓋および前記下蓋に固着される上蓋から構成され、電気部品を収容する収容部と、前記下蓋または回路基板もしくは電装部品に設けられ、前記収容部に収容された前記電気部品との信号の送受信を行うように接触または非接触により接続する接続端子と遊技機本体に設けられ接続および接続解除が可能であって、前記接続端子と信号の送受信を行うように接触または非接触により接続する配線部材とを備え、前記接続端子と前記配線部材とが信号の送受信を行うように接触または非接触により接続され、かつ、前記収容部と遊技機本体が固着されることにより、前記接続端子と前記配線部材との接続の解除が阻止されていることを特徴としている。
【００１８】
このように、接続端子と接続された配線部材の接続解除が、遊技機本体によって阻止されているので、セキュリティの強化が図られる。たとえば、接続端子であるコネクタがプラグおよびジャックから構成されるとすると、上記のように収容部と遊技機本体との間でプラグとジャックとが接続し、収容部が遊技機本体に固着されるので、一方のプラグまたはジャックから、他方のプラグまたはジャックを抜き差しする方向に収容部を移動することができなくなる。これにより、コネクタの接続の解除が阻止されるので、遊技機に対する不正行為を防止し、セキュリティの強化を図ることが可能となる。さらに、収容部における複数の接続端子と配線部材との接続の解除が阻止されるため、コストや手間を低減することができる。
【００１９】
また、本発明の遊技機は阻止部が遊技機本体の一部であるため、専用の部材を設ける必要がなく、簡易な手法でセキュリティの強化を図ることが可能となる。
【００２０】
【発明の実施の形態】
本実施の形態に係る遊技機では、電気部品を収容する収容部が、固着手段によって、遊技機本体へ取り外し困難に固着される。そして、収容部が遊技機本体へ固着された状態では、接続端子と配線部材との接続の解除が阻止される。上記の電気部品には、例えば、回路基板として主遊技回路基板が含まれる。また、例えば、押ボタン等を含む電装部品として段階設定ボックスや、回路基板および電装部品の双方を含む電源ボックスなども電気部品に含まれる。
【００２１】
接続端子とは、上記電気部品と機能的に接続すると共に、配線部材とも機能的に接続し、または接続の解除が可能に構成された中継装置のことである。例えば、コネクタや端子からなる。ここで、「機能的な接続」とはオペレーティブリーコネクトのことである。例えば、電気的な接続のみならず、光、磁気、音波等を介した非接触による接続を含む概念である。この接続端子は、配線部材との間で信号の送受信を行なう。例えば、接続端子が雄（プラグ）コネクタで構成され、配線部材の端末が雌（ジャック）コネクタで構成され、相互に接続して電気的接続を実現する。また、フォトカプラのような光接続を行なうものでもよい。接続端子としてコネクタを設けるバリエーションとしては、（１）収容部に直接固定され、配線を経由して電気部品に接続される場合と、（２）回路基板または電装部品にコネクタが直接実装された状態で、収容部に開口部を持たせてその開口部でコネクタの接続を行なう場合とがある。また、接続端子は、収容部そのものに設けられる場合に限られず、電気部品からケーブル（電線）を延ばして、収容部から隣接した位置に接続端子を設けることも可能である。
【００２２】
配線部材とは、上記接続端子と機能的に接続、または接続の解除が可能であって、電気や光の信号を伝送させる電線や光ケーブルと、電線や光ケーブルの端末に接続されるコネクタや端子（丸型端子などの圧着端子）のことをいう。また、複数の配線部材をユニットとして配列して束ねたもので、差込み、接続、取りはずしを容易にした組配線部材（ワイヤーハーネスともいう）も、配線部材に含まれる。また、電気や光の信号を伝送させる機能を持たせたプリント基板やフレキシブル基板もこの配線部材の概念に含まれる。
【００２３】
固着手段とは、例えば、リベットやワンウェイネジ等を使用した不可逆的なロック機構、シリンダー錠や南京錠などの施錠装置等を意味し、破壊しなければ取り外しができないように固着するものである。固着手法としては、（１）収容部が有する固着手段で遊技機に収容部を固着する場合と、（２）遊技機に収容部専用の取り付け部が設けられており、その取り付け部に固着する場合と、（３）さらに（１）と（２）との双方を含む場合、すなわち、遊技機に収容部専用の取り付け部が設けられており、その取り付け部に収容部が有する固着手段で遊技機に収容部を固着する場合である。
【００２４】
封印手段とは、例えば、封印シールや封印バンドのように、シリアル番号や識別情報が記載された封印部材を意味し、封印手段の解除、例えば封印シールを剥がすことは容易にできるが、同じ封印シールが無いため再封印できなかったり、封印シールの剥がした痕跡が残るシール形態であれば、その痕跡が残ることにより不正の発見が容易になる。
【００２５】
また、コネクタの接続を解除するとは、例えば、プラグおよびジャックからなるコネクタにおいて、プラグからジャックを引き抜くこと、またはジャックからプラグを引き抜くことを意味する。そして、コネクタ部の接続の解除が阻止されるとは、（１）一方のプラグまたはジャックから、他方のプラグまたはジャックを引き抜くことができる空間が無くされること、（２）一方のプラグまたはジャックから、他方のプラグまたはジャックを引き抜く方向に収容部を移動することができなくされていること、または（３）プラグまたはジャックに設けられた接続状態をロックするロック機構を指や工具を使用して解除することができる空間が無くされていることを意味する。
【００２６】
（実施の形態１）
図１は、実施の形態１に係る遊技機のケース部の概略構成を示す図である。また、図２は、実施の形態１に係る遊技機のケース部の斜視図である。この遊技機のケース部１は、下蓋２ａおよび上蓋２ｂからなる収容部２に回路基板３を収容する。そして、下蓋２ａおよび上蓋２ｂは、回路基板３を収容した状態で開封固着される。回路基板３の下蓋２ａ側には、配線部材４と電気的接続を行なうコネクタ５ｂが設けられている。すなわち、上蓋２ｂ側から見ると、コネクタ５ｂは回路基板３の裏面に設けられている。収容部２を遊技機本体６に固着する際には、図示しないガイド機構に沿って遊技機本体６と固着する位置まで移動させ、コネクタ５ｂを相手側のコネクタ５ａに嵌合させる。例えば、図２に示すように、カシメ構造７ａおよび７ｂを用いて、収容部２を遊技機本体６へ固着する。このカシメ構造７ａおよび７ｂは、例えば、「ソリッドリベット」を用いたリベット結合の方式を採る。その他に、カシメには「セミまたはフルチューブラリベット」や「はと目」なども使われる。
【００２７】
なお、遊技機本体６は、遊技機から、各種ユニットや配線部材を取り除いた残り部分のことである。例えば、遊技機の外筐（外箱）や、遊技機の骨組みであるフレームなどが該当する。
【００２８】
実施の形態１によれば、コネクタ５ａと５ｂは、収容部２と遊技機本体６との間で回路基板３と配線部材４とを接続するので、収容部２が遊技機本体６に固着されるとコネクタ５ａと５ｂの接続を解除することができなくなる。すなわち、コネクタ５ａと５ｂがプラグおよびジャックから構成されるとすると、収容部２と遊技機本体６との間でプラグとジャックとが接続し、収容部２が遊技機本体６に固着されるので、一方のプラグまたはジャックから、他方のプラグまたはジャックを抜き差しする方向に収容部２を移動することができなくなる。これにより、コネクタ５ａと５ｂの接続の解除が阻止されるので、遊技機に対する不正行為を防止し、セキュリティの強化を図ることが可能となる。
【００２９】
上記の例では、配線部材は、コネクタ５ａと電線から構成されているものであったが、配線部材としてプリント基板を使用してもよい。つまり、電線のかわりにプリント基板を配置し、プリント基板上にコネクタを実装させる。接続端子が複数のコネクタから構成されている場合には、配線部材としてプリント基板を使用するほうが好ましい。
【００３０】
（実施の形態２）
図３は、実施の形態２に係る遊技機のケース部の概略構成を示す図である。また、図４および図５は、実施の形態２に係る遊技機のケース部の斜視図である。このケース部１０は、下蓋１１ａおよび上蓋１１ｂからなる収容部１１に回路基板１２を収容する。そして、下蓋１１ａおよび上蓋１１ｂは、回路基板１２を収容した状態で開封固着される。回路基板１２の上面に、配線部材１３の端末のコネクタ１４ａと電気的接続を行なうコネクタ１４ｂが、上蓋１１ｂを切り欠いて設けられている。収容部１１を遊技機本体６へ固着するための固着部材１５は、ヒンジ機構１５ａを有し、収容部１１を固着する位置または解放する位置へ開閉可能に構成されている。具体的には、固着部材１５は、図４中、矢印で示すＡ方向またはＢ方向に開閉可能である。この固着部材１５は、収容部１１を遊技機本体６に固着する位置で、配線部材１３の端末のコネクタ１４ａを抜き差しするための空間を無くすカバー部１５ｂを備えている。すなわち、収容部１１を遊技機本体６へ固着するための固着部材１５、およびコネクタ１４ａをカバーするカバー部１５ｂは、阻止部を構成する。
【００３１】
収容部１１を遊技機本体６へ固着する際には、図４および図５に示すように、収容部１１を遊技機本体６の所定の位置に置き、固着部材１５におけるカバー部１５ｂがコネクタ１４ａを覆うように、固着部材１５を図４中Ａ方向に引き上げる。そして、固着部材１５に設けられたロック機構１６によってロックする。なお、ロック機構１６に代えて、遊技機本体６に対してリベットまたはワンウェイネジ等でのカシメや、施錠装置等で取り外し困難に固着させてもよい。
【００３２】
実施の形態２によれば、固着部材１５に設けられたカバー部１５ｂが、収容部１１を遊技機本体６へ固着したときに配線部材１３の端末のコネクタ１４ａをコネクタ１４ｂから引き抜くための空間が無くなるので、収容部１１が遊技機本体６に固着されると収容部１１の接続端子と配線部材との接続を解除することが阻止される。これにより、コネクタ１４ａと１４ｂの接続の解除が阻止されるので、遊技機に対する不正行為を防止し、セキュリティの強化を図ることが可能となる。
【００３３】
（実施の形態３）
図６（ａ）は、実施の形態３に係る遊技機のケース部の斜視図であり、同図（ｂ）は、図６（ａ）中、Ｃの方向から見た側面図である。収容部としての電源ボックス２０は、内部に回路基板および電気部品を収容する。電源ボックス２０の上端には、回路基板および電気部品を配線部材に接続するための複数のコネクタ２１が設けられている。また、電源ボックス２０の図６（ａ）におけるＣ側の側面には、リセットスイッチ２２、設定変更スイッチを内包するボックス２３、そして電源スイッチ２４が設けられている。
【００３４】
電源ボックス２０の上端部２０ａには、ヒンジ構造２５ａを有するカバー部２５が設けられている。カバー部２５は、ヒンジ構造２５ａによって、図６（ｂ）に示すＤの方向またはＥの方向へ開閉可能に構成されている。また、カバー部２５には、各コネクタ２１に対応する位置にスリット２５ｂが設けられている。各スリット２５ｂの大きさは、図示しない配線部材の端末のコネクタよりも小さく、配線部材の電線部分よりも大きい。このため、配線部材の電線部分のみを通過させることができる。
【００３５】
各コネクタ２１における接続がなされると、カバー部２５が図６（ｂ）中、Ｄの方向へ持ち上げられる。そして、カバー部２５は、固着手段２６によって遊技機本体６に固着される。固着手段２６は、上記と同様に、カシメまたはワンウェイネジ、施錠装置等によってカバー部２５を開くことが困難となるように固着する。
【００３６】
実施の形態３によれば、カバー部２５が、コネクタ２１の接続を解除することができる空間を無くすので、カバー部２５が遊技機本体６に固着されるとコネクタ２１と配線部材との接続を解除することが阻止される。これにより、コネクタ２１と配線部材との接続の解除が阻止されるので、遊技機に対する不正行為を防止し、セキュリティの強化を図ることが可能となる。
【００３７】
（実施の形態４）
図７および図８は、実施の形態４に係る遊技機のケース部の斜視図であり、図９は、図８においてＦの方向から見た遊技機のケース部の側面図である。このケース部の場合は、遊技機本体６側にカバー部３０を有する。すなわち、収容部としての電源ボックス３１は、内部に回路基板および電気部品を収容する。電源ボックス３１の上端には、回路基板および電気部品を配線部材の端末のコネクタ３２ａに接続するためのコネクタ３２ｂが設けられている。また、電源ボックス３１の図８におけるＦ側の側面には、リセットスイッチ３３、設定変更スイッチ３４、そして電源スイッチ３５が設けられている。なお、設定変更スイッチ３４は、キースイッチ３６が適正な鍵によって操作されないと機能しないように制御されている。
【００３８】
カバー部３０は、金属板により断面が概略Ｌ字状となるように折り曲げられた形状を有する。そして、カバー部３０の垂直部３０ａは遊技機本体６に固定されている。また、カバー部３０の水平部３０ｂは「ひさし」のように地面と概略並行に遊技機本体６の内部方向へ張り出す。
【００３９】
コネクタ３２ａと３２ｂの接続がなされると、電源ボックス３１はカバー部３０の水平部３０ｂの下側に、コネクタ３２ａが抜き差しできる空間が無くなるように固着される。すなわち、電源ボックス３１に設けられた孔３１ａとカバー部３０に設けられた孔３０ｃとが合致するように位置決めされ、ワンウェイネジ３７で遊技機本体６へ固着される。また、電源ボックス３１に設けられた孔３１ｂと遊技機本体６に設けられた孔６ｃにワンウェイネジ３７がねじ込まれて固着される。なお、固着方法はワンウェイネジに限らず、カシメ方法を用いても良い。
【００４０】
実施の形態４によれば、カバー部３０が、コネクタ３２ａおよび３２ｂの接続を解除するための空間を無くすので、カバー部３０と共に電源ボックス３１が遊技機本体６に固着されるとコネクタ３２ａおよび３２ｂの接続を解除することが阻止される。すなわち、コネクタ３２ａがプラグ、コネクタ３２ｂがジャックで構成されているとすると、カバー部３０の水平部３０ｂによって、コネクタ３２ｂ（ジャック）からコネクタ３２ａ（プラグ）を抜き差しするための空間がなくなる。これにより、コネクタ３２ａおよび３２ｂの接続の解除が阻止されるので、遊技機に対する不正行為を防止し、セキュリティの強化を図ることが可能となる。
【００４１】
なお、実施の形態４において、カバー部３０は、遊技機本体６の内側の面で構成されていてもよい。すなわち、電源ボックス３１の上面、すなわち、コネクタ３２ｂが存在している面を、遊技機本体６の内側の面との距離をコネクタ３２ａが引き抜きできる空間が無くなるように配置して、電源ボックス３１を固着するのである。例えば、図７から図９において、接続されたコネクタ３２ｂを図示するものと天地を逆に配置して固着するのである。これにより、新たな部材を用いることなく、コネクタ３２ａと３２ｂの接続を解除するための空間を無くすことが容易に可能となる。
【００４２】
（実施の形態５）
図１０および図１１は、実施の形態５に係る遊技機のケース部の概略構成を示す図である。ケース部４０は、下蓋４１ａおよび上蓋４１ｂからなる収容部４１に回路基板４２を収容する。この下蓋４１ａは収容部本体を構成し、上蓋４１ｂは蓋を構成する。上蓋４１ｂは、図１０に示すように、下蓋４１ａよりも紙面に対して幅方向の長さが大きい。そして、下蓋４１ａおよび上蓋４１ｂは、回路基板４２を収容した状態で開封固着される。回路基板４２の上側端面には、配線部材４３と電気的接続を行なうコネクタ４４ｂが水平方向設けられている。コネクタ４４ａは、図１０に示すように、水平方向に抜き差しするように配置されている。収容部４１を遊技機本体６に固着する際には、コネクタ４４ａと４４ｂを接続し、下蓋４１ａと上蓋４１ｂとを開封固着する。そして、配線部材４３を上蓋４１ｂと遊技機本体６との間から引き出すようにして、収容部４１を遊技機本体６に固着する。
【００４３】
図１１は、コネクタ４４ｂが回路基板４２の上面に設けられ、鉛直方向に抜き差しされるタイプを示す。このような場合でも、収容部４１を遊技機本体６に固着する際には、コネクタ４４ａと４４ｂを接続し、下蓋４１ａと上蓋４１ｂとを開封固着する。そして、配線部材４３を上蓋４１ｂと遊技機本体６との間から引き出すようにして、収容部４１を遊技機本体６に固着する。
【００４４】
収容部４１を遊技機本体６へ固着する際には、カシメ構造またはワンウェイネジを用いることができる。
【００４５】
実施の形態５によれば、上蓋４１ｂは、下蓋４１ａと開封固着される際に、コネクタ４４ａが引き抜くことができるための空間を無くすので、収容部４１が遊技機本体６に固着されるとコネクタ４４ａと４４ｂの接続を解除することが阻止される。これにより、遊技機に対する不正行為を防止し、セキュリティの強化を図ることが可能となる。また、実施の形態５によれば、コネクタ４４ａと４４ｂの抜き差しを阻止するために特別な部材は不要となる。
【００４６】
なお、変形例として、固着手段の代わりに封印シールなどの封印手段を用いてもよい。すなわち、収容部が封印手段により遊技機本体の所定の個所へ封印された状態では接続端子と配線部材との接続の解除が阻止されるのである。封印が解除されると、その痕跡が残るため、不正なアクセスがあったことが容易に把握される。これにより、遊技機に対する不正行為を防止し、セキュリティの強化を図ることが可能となる。
【００４７】
また、上蓋および下蓋によって電気部品を収容する収容部が構成されるケース部において、収容部が封印手段により遊技機本体の所定の個所へ封印された状態では接続端子と配線部材との接続を解除するための空間を無くすように、上蓋が下蓋と固着されるようにしてもよい。
【００４８】
なお、遊技機において、例えば、基板ケースには複数のコネクタが存在している。これらの中には、不正行為の対象となるものとならないものとがある。例えば、電飾ランプへの配線を変更しても不正には直接つながることはない。このため、複数のコネクタがある場合には、すべてのコネクタに対して本発明を適用してもよいし、不正対象になり得るコネクタに対して本発明を適用すればよい。これにより、不正行為を防止できる。
【００４９】
【発明の効果】
以上説明したように、本発明に係る遊技機によれば、接続端子であるコネクタがプラグおよびジャックから構成されるとすると、上記のように収容部と遊技機本体との間でプラグとジャックとが接続し、収容部が遊技機本体に固着されるので、一方のプラグまたはジャックから、他方のプラグまたはジャックを抜き差しする方向に収容部を移動することができなくなる。これにより、コネクタの接続の解除が阻止されるので、遊技機に対する不正行為を防止し、セキュリティの強化を図ることが可能となる。また、コネクタ部の接続の解除が阻止されるので、遊技機に対する不正行為を防止し、セキュリティの強化を図ることが可能となる。さらに、複数の接続端子と配線部材との接続の解除が阻止されるため、コストや手間を低減することができる。
【００５０】
また、本発明の遊技機は阻止部が遊技機本体の一部であるため、専用の部材を設ける必要がなく、簡易な手法でセキュリティの強化を図ることが可能となる。
【００５１】
また、本発明に係る遊技機によれば、上蓋は、下蓋と開封固着される際に、コネクタを引き抜くことができるための空間を無くすので、収容部が遊技機本体に固着されるとコネクタとの接続を解除することが阻止される。これにより、遊技機に対する不正行為を防止し、セキュリティの強化を図ることが可能となる。また、コネクタの抜き差しを阻止するために特別な部材は不要となる。さらに、収容部における複数の接続端子と配線部材との接続の解除が阻止されるため、コストや手間を低減することができる。
【００５２】
また、本発明に係る遊技機によれば、阻止部の水平部分によってコネクタを抜き差しするための空間がなくなる。これにより、コネクタの接続の解除が阻止されるので、遊技機に対する不正行為を防止し、セキュリティの強化を図ることが可能となる。
【００５３】
また、阻止部が遊技機本体の内側の面で構成され、収容部の上面、すなわち、コネクタが存在している面を、遊技機本体の内側の面との距離をコネクタが引き抜きできる空間が無くなるように配置して、収容部を固着する場合には、新たな部材を用いることなく、コネクタの接続を解除するための空間を無くすことが容易に可能となる。また、収容部における複数の接続端子と配線部材との接続の解除が阻止されるため、コストや手間を低減することができる。
【００５４】
また、本発明に係る遊技機によれば、阻止部に設けられたカバー部が、収容部を遊技機本体へ固着したときに配線部材の端末のコネクタを電気部品側のコネクタから引き抜くための空間が無くなるので、収容部が遊技機本体に固着されると収容部の接続端子と配線部材との接続を解除することが阻止される。例えば、プラグおよびジャックからなるコネクタにおいて、収容部に固着された阻止部によって、一方のプラグまたはジャックから、他方のプラグまたはジャックを引き抜くことができる空間が無くなる。これにより、コネクタの接続の解除が阻止されるので、遊技機に対する不正行為を防止し、セキュリティの強化を図ることが可能となる。
【００５５】
また、固着手段によって収容部および阻止部の双方を遊技機本体に固着することができる。
【図面の簡単な説明】
【図１】実施の形態１に係る遊技機のケース部の概略構成を示す図である。
【図２】実施の形態１に係る遊技機のケース部の斜視図である。
【図３】実施の形態２に係る遊技機のケース部の概略構成を示す図である。
【図４】実施の形態２に係る遊技機のケース部の斜視図である。
【図５】実施の形態２に係る遊技機のケース部の斜視図である。
【図６】（ａ）　実施の形態３に係る遊技機のケース部の斜視図である。
（ｂ）　実施の形態３に係る遊技機のケース部の側面図である。
【図７】実施の形態４に係る遊技機のケース部の斜視図である。
【図８】実施の形態４に係る遊技機のケース部の斜視図である。
【図９】実施の形態４に係る遊技機のケース部の側面図である。
【図１０】実施の形態５に係る遊技機のケース部の概略構成を示す図である。
【図１１】実施の形態５に係る遊技機のケース部の概略構成を示す図である。
【符号の説明】
１…遊技機のケース部、２…収容部、２ａ…下蓋、２ｂ…上蓋、３…回路基板、４…配線部材、５…コネクタ部、６…遊技機本体、６ｃ…孔、７ａ…カシメ構造、７ｂ…カシメ構造、１０…遊技機のケース部、１１…収容部、１１ａ…下蓋、１１ｂ…上蓋、１２…回路基板、１３…配線部材、１４…コネクタ部、１５…固着部材、１５ａ…ヒンジ機構、１５ｂ…カバー部、１６…ロック機構、２０…電源ボックス、２０ａ…上端部、２１…コネクタ部、２５…カバー部、２５ａ…ヒンジ構造、２５ｂ…スリット、２６…固着手段、３０…カバー部、３０ａ…垂直部、３０ｂ…水平部、３０ｃ…孔、３１…電源ボックス、３１ａ…孔、３１ｂ…孔、３２…コネクタ部、３２ａ…配線部材、３７…ワンウェイネジ、４０…遊技機のケース部、４１…収容部、４１ａ…下蓋、４１ｂ…上蓋、４２…回路基板、４３…配線部材、４４…コネクタ部